(57)【要約】【課題】【解決手段】複数の送信コイルを備えた無線電力送信機が開示される。本送信機は、第１〜第Ｎコイル、及び第１感知信号を前記第１〜第Ｎコイルを介して無線電力受信機に送出し、前記第１感知信号に対応する第１信号強度指示子が受信されれば、受信された前記第１信号強度指示子の信号強度に基づき、第２感知信号の送出のための第１〜第Ｎコイルの送出手順を調整する制御部を含み、制御部は調整された送出手順で第２感知信号を第１〜第Ｎコイルを介して前記受信機に伝送することができる。これにより、装置効率性及び使用者便宜性が向上することができる。【選択図】  図４
2019510454.tif 000002
【特許請求の範囲】
【請求項１】
複数の送信コイルを備えた無線電力送信機であって、
第１〜第Ｎコイル、及び
第１感知信号を前記第１〜第Ｎコイルを介して無線電力受信機に送出し、前記第１感知信号に対応する第１信号強度指示子が受信されれば、受信された前記第１信号強度指示子の信号強度に基づき、第２感知信号の送出のための第１〜第Ｎコイルの送出手順を調整する制御部、を含み、
前記制御部は、
調整された送出手順で前記第２感知信号を第１〜第Ｎコイルを介して前記受信機に伝送する、無線電力送信機。
【請求項２】
前記制御部は、
前記第１信号強度指示子の伝送をトリガーするウェイク（Ｗａｋｅ）タイムが所定の時間より長く設定される場合、第２感知信号の送出のための第１〜第Ｎコイルの送出手順を調整する、請求項１に記載の無線電力送信機。
【請求項３】
前記制御部は、
前記受信機をリセットするリセット（ｒｅｓｅｔ）タイムが所定の時間より長く設定される場合、第２感知信号の送出のための第１〜第Ｎコイルの送出手順を調整する、請求項１に記載の無線電力送信機。
【請求項４】
前記制御部は、
前記受信機をリセットするリセット（ｒｅｓｅｔ）タイムで前記受信機の所定の電流値が所定の大きさより小さくなる場合、第２感知信号の送出のための第１〜第Ｎコイルの送出手順を調整する、請求項１に記載の無線電力送信機。
【請求項５】
前記制御部は、
受信された前記第１信号強度指示子の信号強度に基づき、第２感知信号の送出のための第１〜第Ｎコイルの送出手順を調整する、請求項１に記載の無線電力送信機。
【請求項６】
前記制御部は、
前記第１感知信号を前記複数の送信コイルのうち一つの送信コイルを介して所定の周期で送出するように制御する、請求項１に記載の無線電力送信機。
【請求項７】
前記制御部は、
前記第１信号強度指示子が受信された少なくとも一つのコイルを介して前記第２感知信号を送出するように制御する、請求項１に記載の無線電力送信機。
【請求項８】
前記受信機が前記複数のコイルのうち外側に配置されたコイルと所定の範囲内でアラインメント（Ａｌｉｇｎｍｅｎｔ）される、請求項１に記載の無線電力送信機。
【請求項９】
前記制御部は、
前記第２感知信号の送出手順が前記第１感知信号の送出手順と一致し、無線電力伝送が失敗する場合、第３感知信号の送出のための第１〜第Ｎコイルの送出手順を調整する、請求項１に記載の無線電力送信機。
【請求項１０】
前記第１感知信号は前記第１〜第Ｎコイルから所定の周期で同時に送出される、請求項１に記載の無線電力送信機。
【請求項１１】
前記第１感知信号は前記第１〜第Ｎコイルで所定の手順に伝送される、請求項１に記載の無線電力送信機。
【請求項１２】
前記第１次感知信号及び前記第２次感知信号はＷＰＣ標準又はＰＭＡ標準で定義したデジタルピング信号である、請求項１に記載の無線電力送信機。
【請求項１３】
前記第１感知信号と前記第２感知信号は出力電圧強度、伝送周期及び伝送時間の少なくとも一つが互いに異なる、請求項１に記載の無線電力送信機。
【請求項１４】
複数の送信コイルを備えた無線電力送信機から無線電力を受ける無線電力受信機であって、
第１感知信号を前記複数の送信コイルの少なくとも一つから受信する受信コイル、及び
前記第１感知信号に対応する第１信号強度指示子の伝送をトリガーするウェイク（Ｗａｋｅ）タイム及び前記受信機をリセットするリセット（ｒｅｓｅｔ）タイムに基づく第１信号強度指示子を前記送信機に伝送するように制御する主制御部、を含む、無線電力受信機。
【請求項１５】
前記主制御部は、
前記ウェイクタイム又はリセットタイムが所定の時間より長く設定される場合、前記送信機から第２感知信号を既設定のパターンとは違うパターンで受信する、請求項１４に記載の無線電力受信機。
【請求項１６】
前記リセットタイムの間に電流振幅が所定の大きさより小さくなる場合、前記送信機から第２感知信号を既設定のパターンとは違うパターンで受信する、請求項１４に記載の無線電力受信機。
【請求項１７】
複数の送信コイルを備えた無線電力伝送システムの駆動方法であって、
前記システムが無線電力伝送のための識別段階に進入するかをモニターする段階、
前記システムが前記識別段階に進入する場合、無線電力受信機が充電されているかを判断する段階、及び
前記受信機が充電されない場合、前記システムがピング段階に進入するように駆動する段階、を含む、無線電力伝送システムの駆動方法。
【請求項１８】
前記システムがピング段階に進入する場合、前記複数の送信コイルを介して第１感知信号を前記無線電力受信機に伝送するように駆動する段階、
前記無線電力受信機が前記第１感知信号に対応する第１信号強度指示子を無線電力送信機に伝送するように駆動する段階、
前記無線電力送信機が前記第１信号強度指示子を受信すれば、第２感知信号の送出のための前記複数の送信コイルの送出手順を調整するように制御する段階、及び
調整された送出手順で、前記第２感知信号を前記複数の送信コイルを介して前記受信機に伝送する段階、をさらに含む、請求項１７に記載の無線電力伝送システムの駆動方法。
【発明の詳細な説明】
【技術分野】
【０００１】
本発明は無線電力伝送技術に関し、詳しくは複数の送信コイルを備えた無線電力器機及びその駆動方法に関する。
【背景技術】
【０００２】
近年、情報通信技術が急速に発展するに伴い、情報通信技術を基にするユビキタス社会となっている。
【０００３】
いつでもどこでも情報通信器機が接続されるためには、社会の全ての施設に通信機能を有するコンピュータチップを内装したセンサーが取り付けられなければならない。したがって、これらの器機やセンサーへの電源供給の問題は新しい課題となっている。また、携帯電話だけでなく、ブルートゥースハンドセットとアイポットのようなミュージックプレーヤーなどの携帯器機の種類が急激に増えるに伴い、バッテリーを充電する作業が使用者に時間及び手数を要求している。このような問題を解決する方法として無線電力伝送技術が最近になって関心を受けている。
【０００４】
無線電力伝送技術（ｗｉｒｅｌｅｓｓ  ｐｏｗｅｒ  ｔｒａｎｓｍｉｓｓｉｏｎ又はｗｉｒｅｌｅｓｓ  ｅｎｅｒｇｙ  ｔｒａｎｓｆｅｒ）は磁場の誘導原理を用い、無線で送信機から受信機に電気エネルギーを伝送する技術であり、既に１８００年代に電磁気誘導原理を用いた電気モーター又は変圧器が使われ始め、その後にはラジオ波又はレーザー、高周波、マイクロ波のような電磁波を放射して電気エネルギーを伝送する方法も試みられた。我々がよく使用する電動歯ブラシ又は一部の無線カミソリも実際には電磁気誘導原理で充電される。
【０００５】
現在まで無線を用いたエネルギー伝達方式は、大別して、磁気誘導方式、磁気共振（Ｅｌｅｃｔｒｏｍａｇｎｅｔｉｃ  Ｒｅｓｏｎａｎｃｅ）方式及び短波長無線周波数を用いたＲＦ伝送方式などに区分できる。
【０００６】
磁気誘導方式は、二つのコイルを互いに隣り合わせた後、一方のコイルに電流を流せば、この時に発生した磁束（Ｍａｇｎｅｔｉｃ  Ｆｌｕｘ）が他方のコイルに起電力を引き起こす現象を用いる技術であり、携帯電話のような小型器機を中心に早く商用化が進んでいる。磁気誘導方式は最大で数百キロワット（ｋＷ）の電力を伝送することができ、効率も高いが、最大伝送距離が１センチメートル（ｃｍ）以下であるので、一般的に充電器又は底に近接させなければならないという欠点がある。
【０００７】
磁気共振方式は、電磁気波又は電流などを活用する代わりに、電場又は磁場を用いる特徴がある。磁気共振方式は電磁波問題の影響をほとんど受けないので、他の電子器機又は人体に安全であるという利点がある。一方、限定された距離と空間でだけ活用することができ、エネルギー伝達効率がちょっと低いという欠点がある。
【０００８】
短波長無線電力伝送方式、簡単に言えばＲＦ伝送方式は、エネルギーをラジオ波（ＲａｄｉｏＷａｖｅ）形態で直接送受信することができるという点を活用したものである。この技術はレクテナ（ｒｅｃｔｅｎｎａ）を用いるＲＦ方式の無線電力伝送方式であり、レクテナはアンテナ（ａｎｔｅｎｎａ）と整流器（ｒｅｃｔｉｆｉｅｒ）の合成語で、ＲＦ電力を直接直流電力に変換する素子を意味する。すなわち、ＲＦ方式はＡＣラジオ波をＤＣに変換して使用する技術であり、最近効率が向上するに伴って商用化に対する研究が活発に進んでいる。
【０００９】
無線電力伝送技術はモバイルだけでなくＩＴ、鉄道、家電産業などの産業全般に多様に活用可能である。
【００１０】
最近には、充電ベッドに置かれた無線電力受信機の認識率を高めるために複数のコイルが装着された無線電力送信機が販売されている。しかし、従来の複数のコイルが装着された無線電力送信機は、無線電力受信機の存在を感知するために、それぞれの送信コイルを介して順次感知信号、例えば電磁気誘導方式に使われるピング信号、電磁気共振方式に使われるビーコン信号などを送出した。
【００１１】
特に、従来の複数の送信コイルが装着された無線電力送信機は無線電力受信機に対する認識エラーを減らし、どの送信コイルが充電効率の良いのかを決定するために、感知信号を順次所定回数、例えば２回繰り返してそれぞれの送信コイルを介して送出するように制御した。
【００１２】
しかし、前記方法を適用しても、特定の受信機の場合は充電ができない問題が発生している実情である。よって、より改善された充電方法の出現が要求される。
【発明の概要】
【発明が解決しようとする課題】
【００１３】
本発明は上述した従来技術の問題点を解決するためになされたもので、本発明の一目的は、複数の送信コイルを備えた無線電力器機及びその駆動方法を提供することにある。
【００１４】
本発明の他の目的は、無線電力受信機に対する認識率を高め、認識にかかる時間を最小化することができる複数の送信コイルを備えた無線電力送信機及びその駆動方法を提供することにある。
【００１５】
本発明の他の目的は、無線電力受信機の機能が劣化した場合、充電効率をより高める複数の送信コイルを備えた無線電力送信機及びその駆動方法を提供することにある。
【００１６】
本発明の他の目的は、無線電力受信機のアラインメントによって無線充電ができない場合、無線充電ができるようにする無線電力送信機及びその駆動方法を提供することにある。
【００１７】
本発明で達成しようとする技術的課題は以上で言及した技術的課題に制限されず、言及しなかった他の技術的課題は下記の記載から本発明が属する技術分野で通常の知識を有する者に明確に理解可能であろう。
【課題を解決するための手段】
【００１８】
本発明の一実施例による複数の送信コイルを備えた無線電力送信機は、第１〜第Ｎコイル、及び第１感知信号を前記第１〜第Ｎコイルを介して無線電力受信機に送出し、前記第１感知信号に対応する第１信号強度指示子が受信されれば、受信された前記第１信号強度指示子の信号強度に基づき、第２感知信号の送出のための第１〜第Ｎコイルの送出手順を調整する制御部、を含み、前記制御部は調整された送出手順で前記第２感知信号を第１〜第Ｎコイルを介して前記受信機に伝送することができる。
【００１９】
前記本発明の態様は本発明の好適な実施例の一部に過ぎなく、本発明の技術的特徴が反映された多様な実施例が当該技術分野の通常的な知識を有する者によって以下で詳述する本発明の詳細な説明に基づいて導出されるとか理解されることができる。
【発明の効果】
【００２０】
本発明による方法及び装置に対する効果について説明すれば次のようである。
【００２１】
本発明によれば、複数の送信コイルを備えた無線電力器機及びその駆動方法を提供する利点がある。
【００２２】
また、無線電力受信機に対する認識率を高め、認識にかかる時間を最小化することができる複数の送信コイルを備えた無線電力送信機を提供することにより、装置の効率性、使用者便宜性が向上することができる。
【００２３】
また、無線電力受信機の機能が劣化した場合、充電効率をより高める複数の送信コイルを備えた無線電力送信機及びその駆動方法を提供することにより、装置の効率性及び使用者便宜性が向上することができる。
【００２４】
また、無線電力受信機のアラインメントによって無線充電ができない場合、無線充電ができるようにする無線電力送信機及びその駆動方法を提供することにより、装置の効率性及び使用者便宜性が向上することができる。
【００２５】
本発明で得られる効果は以上で言及した効果に制限されず、言及しなかった他の効果は下記の記載から本発明が属する技術分野で通常の知識を有する者に明らかに理解可能であろう。
【００２６】
以下に添付する図面は本発明の理解を助けるためのもので、詳細な説明とともに本発明の実施例を提供する。ただ、本発明の技術的特徴が特定の図面に限定されるものではなく、各図で開示する特徴は互いに組み合わせられて新しい実施例として構成されることができる。
【図面の簡単な説明】
【００２７】
【図１】実施例によるマルチコイルを備えた無線電力送信機及び無線電力受信機間の感知信号伝送過程を説明するための概略図である。
【図２】ＷＰＣ標準で定義した無線電力伝送過程を説明するための状態遷移図である。
【図３】ＰＭＡ標準で定義した無線電力伝送過程を説明するための状態遷移図である。
【図４】実施例によるマルチコイル無線電力送信機の構造を説明するためのブロック図である。
【図５】実施例によるマルチコイル無線電力送信機と連動する無線電力受信機のブロック図である。
【図６】ＷＰＣ標準で定義した無線電力受信過程を説明するための図である。
【図７】従来技術のピング段階から識別段階への状態遷移が発生しない場合を示す図である。
【図８】実施例によるマルチコイルの感知信号伝送の送出手順を変更して無線電力伝送システムが識別段階に進入することを示す図である。
【図９】実施例によるマルチコイルの感知信号伝送の送出手順を変更して無線電力伝送システムが識別段階に進入することを示す図である。
【図１０】感知信号を伝送する無線電力送信機の動作によって無線電力受信機の電流値変化を示すグラフである。
【図１１】実施例によるコイル別に感知信号の伝送手順を変更する無線電力伝送システムの駆動方法を示すフローチャートである。
【図１２】実施例による信号強度指示子を複数のコイルを介して受信する場合、無線電力システムの駆動方法を説明するための図である。
【発明を実施するための形態】
【００２８】
本発明の一実施例による複数の送信コイルを備えた無線電力送信機は、第１〜第Ｎコイル、及び第１感知信号を前記第１〜第Ｎコイルを介して無線電力受信機に送出し、前記第１感知信号に対応する第１信号強度指示子が受信されれば、受信された前記第１信号強度指示子の信号強度に基づき、第２感知信号の送出のための第１〜第Ｎコイルの送出手順を調整する制御部、を含み、前記制御部は、調整された送出手順で前記第２感知信号を第１〜第Ｎコイルを介して前記受信機に伝送することができる。
発明の実施のための形態
【００２９】
以下、本発明の実施例が適用される装置及び多様な方法について図面に基づいてより詳細に説明する。以下の説明で使う構成要素に対する接尾辞“モジュール”及び“部”は明細書作成の容易性のみを考慮して付与するとか混用するもので、そのものとして互いに区別される意味又は役割を有するものではない。
【００３０】
実施例の説明において、各構成要素の“上又は下”に形成されるものと記載する場合、上又は下は二つの構成要素が互いに直接接触するとか一つ以上の他の構成要素が二つの構成要素の間に配置されて形成されるものを全て含む。また、“上又は下”と表現する場合、一つの構成要素を基準に上方だけでなく下方の意味も含むことができる。
【００３１】
実施例の説明において、無線電力システム上で無線電力を送信する装置は、説明の便宜のために、無線パワー送信機、無線パワー送信装置、無線電力送信装置、無線電力送信機、送信端、送信機、送信装置、送信側、無線パワー伝送装置、無線パワー伝送器などを混用して使うことにする。また、無線電力送信装置から無線電力を受信する装置に対する表現として、説明の便宜のために、無線電力受信装置、無線電力受信機、無線パワー受信装置、無線パワー受信機、受信端末機、受信側、受信装置、受信機などを混用して使うこともある。
【００３２】
本発明による送信機は、パッド型、装着型、ＡＰ（Ａｃｃｅｓｓ  Ｐｏｉｎｔ）型、小型基地局型、スタンド型、天井埋込型、壁掛け型などに構成されることができ、一つの送信機は複数の無線電力受信装置にパワーを伝送することもできる。このために、送信機は少なくとも一つの無線パワー伝送手段を備えることもできる。ここで、無線パワー伝送手段は電力送信端コイルで磁場を発生させ、その磁場の影響によって受信端コイルで電気を誘導する電磁気誘導原理を用いて充電する電磁気誘導方式に基づく多様な無線電力伝送標準を使うことができる。ここで、無線パワー伝送手段は無線充電技術標準機構であるＷＰＣ（Ｗｉｒｅｌｅｓｓ  Ｐｏｗｅｒ  Ｃｏｎｓｏｒｔｉｕｍ）及びＰＭＡ（Ｐｏｗｅｒ  Ｍａｔｔｅｒｓ  Ａｌｌｉａｎｃｅ）で定義した電磁気誘導方式の無線充電技術を含むことができる。
【００３３】
また、本発明の一実施例による受信機は少なくとも一つの無線電力受信手段を備えることができ、２個以上の送信機から同時に無線パワーを受信することもできる。ここで、無線電力受信手段は無線充電技術標準機構であるＷＰＣ（Ｗｉｒｅｌｅｓｓ  Ｐｏｗｅｒ  Ｃｏｎｓｏｒｔｉｕｍ）及びＰＭＡ（Ｐｏｗｅｒ  Ｍａｔｔｅｒｓ  Ａｌｌｉａｎｃｅ）で定義した電磁気誘導方式の無線充電技術を含むことができる。
【００３４】
本発明による受信機は携帯電話（ｍｏｂｉｌｅ  ｐｈｏｎｅ）、スマートフォン（ｓｍａｒｔｐｈｏｎｅ）、ノートブック型パソコン（ｌａｐｔｏｐ  ｃｏｍｐｕｔｅｒ）、デジタル端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション、ＭＰ３プレーヤー、電動歯ブラシ、電子タグ、照明装置、リモートコントローラー、浮き、スマートウォッチのようなウェアラブルデバイスなどの小型電子器機などに使うことができるが、これに限られず、本発明による無線電力受信手段が装着されてバッテリー充電が可能な器機であればよい。
【００３５】
図１は実施例によるマルチコイルを備えた無線電力送信機及び無線電力受信機間の感知信号伝送過程を説明するための概略図である。
【００３６】
無線電力送信機は複数の送信コイルを備えることができるが、ここでは３個の送信コイル１１１、１１２、１１３を備えたものを仮定して説明する。それぞれの送信コイル１１１、１１２、１１３は、一部領域が他の送信コイルと重畳することができ、無線電力送信機はそれぞれの送信コイルを介して無線電力受信機の存在を感知するための所定感知信号１１７、１２７（例えば、デジタルピング信号）を所定の手順で順次外部に送出することができる。
【００３７】
無線電力送信機は一つ以上のセットで感知信号の送出を繰り返すことができる。ここでは、無線電力送信機が第１次感知信号送出過程及び第２次感知信号送出過程を行うものと仮定するが、これは一実施例に過ぎない。
【００３８】
無線電力送信機は、図面符号１１０で示した１次感知信号送出過程によって感知信号１１７を順次送出し、無線電力受信機１１５から信号強度指示子又は信号強度指示子（Ｓｉｇｎａｌ  Ｓｔｒｅｎｇｔｈ  Ｉｎｄｉｃａｔｏｒ）１１６を受信した送信コイル１１１、１１２を識別することができる。ついで、無線電力送信機は、図面番号１２０で示した２次感知信号送出過程によって感知信号 １２７を順次送出し、信号強度指示子１２６が受信した送信コイル１１１、１１２のうち電力伝送効率又は充電効率の良い送信コイルを識別し、識別された送信コイルを介して電力を送出する。
【００３９】
図１に示すように、無線電力送信機が２回の感知信号送出過程を行う理由は、どの送信コイルに無線電力受信機の受信コイルがよく整列されているかをより正確に識別するためである。前記回数は具現時にもっと増えるとか減ることができる。
【００４０】
仮に、前述した図１の図面符号１１０及び１２０で示したように、第１送信コイル１１１、第２送信コイル１１２に信号強度指示子１１６、１２６が受信された場合、無線電力送信機は、第１送信コイル１１１と第２送信コイル１１２のそれぞれに受信された信号強度指示子１２６に基づいて最もよく整列された送信コイルを選択し、選択された送信コイルを用いて無線充電を行う。前記信号強度指示子１１６、１２６は送信コイルと受信機コイルのアラインメントによって伝送されないこともある。
【００４１】
図２はＷＰＣ標準で定義した無線電力伝送過程を説明するための状態遷移図である。
【００４２】
図２を参照すれば、ＷＰＣ標準による送信機から受信機へのパワー伝送は、大別して選択段階（Ｓｅｌｅｃｔｉｏｎ  Ｐｈａｓｅ）２１０、ピング段階（Ｐｉｎｇ  Ｐｈａｓｅ）２２０、識別及び構成段階（Ｉｄｅｎｔｉｆｉｃａｔｉｏｎ  ａｎｄ  Ｃｏｎｆｉｇｕｒａｔｉｏｎ  Ｐｈａｓｅ）２３０、及びパワー伝送段階（Ｐｏｗｅｒ  Ｔｒａｎｓｆｅｒ  Ｐｈａｓｅ）２４０に区分することができる。
【００４３】
選択段階２１０は、パワー伝送を始めるとかパワー伝送を維持するうちに特定のエラー又は特定のイベントが感知されれば、遷移する段階であり得る。ここで、特定のエラー及び特定のイベントは以下の説明によって明らかになるであろう。また、選択段階２１０で、送信機はインターフェース表面に物体が存在するかをモニターすることができる。仮に、送信機がインターフェース表面に物体が置かれたことが感知されれば、ピング段階２２０に遷移することができる（Ｓ２０１）。選択段階２１０で、送信機は非常に短いパルスのアナログピング（Ａｎａｌｏｇ  Ｐｉｎｇ）信号を伝送し、送信コイルの電流変化に基づいてインターフェース表面の活性領域（Ａｃｔｉｖｅ  Ａｒｅａ）に物体が存在するかを感知することができる。
【００４４】
ピング段階２２０で、送信機は物体が感知されれば、受信機を活性化させ、受信機がＷＰＣ標準の互換可能な受信機であるかを識別するためのデジタルピング（Ｄｉｇｉｔａｌ  Ｐｉｎｇ）を伝送する。ピング段階２２０で、送信機はデジタルピングに対する応答信号、例えば信号強度指示子を受信機から受信することができなければ、再び選択段階２１０に遷移することができる（Ｓ２０２）。また、ピング段階２２０で、送信機は受信機からパワー伝送が完了したことを指示する信号、すなわち充電完了信号を受信すれば、選択段階２１０に遷移することもできる（Ｓ２０３）。
【００４５】
ピング段階２２０が完了すれば、送信機は受信機識別及び受信機構成及び状態情報を収集するための識別及び構成段階２３０に遷移することができる（Ｓ２０４）。
【００４６】
識別及び構成段階２３０で、送信機は望まないパケットが受信されるとか（ｕｎｅｘｐｅｃｔｅｄ  ｐａｃｋｅｔ）、所定の時間の間に所望のパケットが受信されないとか（ｔｉｍｅ  ｏｕｔ）、パケット伝送エラーがあるとか（ｔｒａｎｓｍｉｓｓｉｏｎ  ｅｒｒｏｒ）、パワー伝送契約が設定されなければ（ｎｏ  ｐｏｗｅｒ  ｔｒａｎｓｆｅｒ  ｃｏｎｔｒａｃｔ）、選択段階２１０に遷移することができる（Ｓ２０５）。
【００４７】
受信機に対する識別及び構成が完了すれば、送信機は無線電力を伝送するパワー伝送段階２４０に遷移することができる（Ｓ２０６）。
【００４８】
パワー伝送段階２４０で、送信機は望まないパケットが受信されるとか（ｕｎｅｘｐｅｃｔｅｄ  ｐａｃｋｅｔ）、所定の時間の間に所望のパケットが受信されないとか（ｔｉｍｅ  ｏｕｔ）、既設定のパワー伝送契約に対する違反が発生するとか（ｐｏｗｅｒ  ｔｒａｎｓｆｅｒ  ｃｏｎｔｒａｃｔ  ｖｉｏｌａｔｉｏｎ）、充電が完了した場合、選択段階２１０に遷移することができる（Ｓ２０７）。
【００４９】
また、パワー伝送段階２４０で、送信機は送信機の状態変化などによってパワー伝送契約を再構成する必要がある場合、識別及び構成段階２３０に遷移することができる（Ｓ２０８）。
【００５０】
前述したパワー伝送契約は送信機及び受信機の状態及び特性情報に基づいて設定することができる。一例として、送信機状態情報は最大伝送可能なパワー量についての情報、最大に収容可能な受信機の個数についての情報などを含むことができ、受信機状態情報は要求電力についての情報などを含むことができる。
【００５１】
図３はＰＭＡ標準で定義した無線電力伝送過程を説明するための状態遷移図である。
【００５２】
図３を参照すれば、ＰＭＡ標準による送信機から受信機へのパワー伝送は、大別して待機段階（Ｓｔａｎｄｂｙ  Ｐｈａｓｅ）３１０、デジタルピング段階（Ｄｉｇｉｔａｌ  Ｐｉｎｇ  Ｐｈａｓｅ）３２０、識別段階（Ｉｄｅｎｔｉｆｉｃａｔｉｏｎ  Ｐｈａｓｅ）３３０、パワー伝送段階（Ｐｏｗｅｒ  Ｔｒａｎｓｆｅｒ  Ｐｈａｓｅ）３４０段階及び充電完了段階（Ｅｎｄ  ｏｆ  Ｃｈａｒｇｅ  Ｐｈａｓｅ）３５０に区分することができる。
【００５３】
待機段階３１０は、パワー伝送のための受信機識別過程を遂行するとかパワー伝送を維持するうちに特定のエラー又は特定のイベントが感知されれば、遷移する段階であり得る。ここで、特定のエラー及び特定のイベントは以下の説明によって明らかになるであろう。また、待機段階３１０で、送信機は、充電表面（Ｃｈａｒｇｉｎｇ  Ｓｕｒｆａｃｅ）に物体が存在するかをモニターすることができる。仮に、送信機が充電表面に物体が置かれたことを感知するとかＲＸＩＤ再試行が進行中の場合、デジタルピング段階３２０に遷移することができる（Ｓ３０１）。ここで、ＲＸＩＤはＰＭＡ互換受信機に割り当てられる固有識別子である。待機段階３１０で、送信機は非常に短いパルスのアナログピング（Ａｎａｌｏｇ  Ｐｉｎｇ）を伝送し、送信コイルの電流変化に基づいてインターフェース表面、例えば充電ベッドの活性領域（Ａｃｔｉｖｅ  Ａｒｅａ）に物体が存在するかを感知することができる。
【００５４】
デジタルピング段階３２０に遷移した送信機は、感知された物体がＰＭＡ互換受信機であるかを識別するためのデジタルピング信号を送出する。送信機が伝送したデジタルピング信号によって受信端に十分な電力が供給される場合、受信機は受信されたデジタルピング信号をＰＭＡ通信プロトコルによって変調して所定の応答信号を送信機に伝送することができる。ここで、応答信号は受信機に受信された電力の強度を指示する信号強度指示子を含むことができる。デジタルピング段階３２０で、受信機は有効な応答信号を受信すれば、識別段階３３０に遷移することができる（Ｓ３０２）。
【００５５】
仮に、デジタルピング段階３２０で、応答信号が受信されないとか、ＰＭＡ互換受信機ではないことが確認されれば、すなわちＦＯＤ（Ｆｏｒｅｉｇｎ  Ｏｂｊｅｃｔ  Ｄｅｔｅｃｔｉｏｎ）の場合、送信機は待機段階３１０に遷移することができる（Ｓ３０３）。一例として、ＦＯ（Ｆｏｒｅｉｇｎ  Ｏｂｊｅｃｔ）は小銭、キーなどを含む金属性物体であり得る。
【００５６】
識別段階３３０で、送信機は、受信機識別過程が失敗するとか受信機識別過程を再実行しなければならない場合、及び所定の時間の間に受信機識別過程を完了することができなかった場合、待機段階３１０に遷移することができる（Ｓ３０４）。
【００５７】
送信機は受信機識別に成功すれば、識別段階３３０からパワー伝送段階３４０に遷移して充電を開始することができる（Ｓ３０５）。
【００５８】
パワー伝送段階３４０で、送信機は所望の信号が所定の時間内に受信されないとか（Ｔｉｍｅ  ｏｕｔ）、ＦＯが感知されるとか、送信コイルの電圧が所定の基準値を超える場合、待機段階３１０に遷移することができる（Ｓ３０６）。
【００５９】
また、パワー伝送段階３４０で、送信機は、内部に備えられた温度センサーによって感知された温度が所定の基準値を超える場合、充電完了段階３５０に遷移することができる（Ｓ３０７）。
【００６０】
充電完了段階３５０で、送信機は、受信機が充電表面から除去されたことが確認されれば、待機状態３１０に遷移することができる（Ｓ３０９）。
【００６１】
また、送信機は、Ｏｖｅｒ  Ｔｅｍｐｅｒａｔｕｒｅ状態で、一定時間の経過後に測定された温度が基準値以下に下がった場合、充電完了段階３５０からデジタルピング段階３２０に遷移することができる（Ｓ３１０）。
【００６２】
デジタルピング段階３２０又はパワー伝送段階３４０で、送信機は、受信機からＥＯＣ（Ｅｎｄ  Ｏｆ  Ｃｈａｒｇｅ）要請が受信されれば、充電完了段階３５０に遷移することもできる（Ｓ３０８及びＳ３１１）。
【００６３】
図４は実施例によるマルチコイル無線電力送信機の構造を説明するためのブロック図である。
【００６４】
図４を参照すれば、無線電力送信機６００は、大別して電力変換部６１０、電力伝送部６２０、変復調部６３０、制御部６４０及びセンシング部６５０を含んでなることができる。前記無線電力送信機６００の構成は必ずしも必須の構成ではなく、それより多いとか少ない構成要素を含んでなることもできることに気を付けなければならない。
【００６５】
電力変換部６１０は、電源部６５０から電源が供給されれば、これを所定強度の電力に変換することができる。このために、電力変換部６１０は、ＤＣ／ＤＣ変換部６１１及び増幅器６１３を含むことができる。
【００６６】
ＤＣ／ＤＣ変換部６１１は、電源部６５０から供給されたＤＣ電力制御部６４０の制御信号によって特定強度のＤＣ電力に変換する機能をすることができる。
【００６７】
制御部６４０は、電力センサー６１２によって測定された電圧／電流の値に基づいて適応的に電源部６５０からの電源供給を遮断するとか、増幅器６１３への電力の供給を遮断することができる。このために、電力変換部６１０の一側には、電源部６５０から供給される電源を遮断するとか、増幅器６１３に供給される電力を遮断するための所定の電力遮断回路をさらに備えることもできる。
【００６８】
増幅器６１３は、ＤＣ／ＤＣ変換された電力の強度を制御部６４０の制御信号によって調整することができる。一例として、制御部６４０は、復調部６３１を介して無線電力受信機によって生成された所定の電力制御信号を受信することができ、受信された電力制御信号によって増幅器６１３の増幅率を調整することができる。
【００６９】
電力伝送部６２０は、スイッチ６２１、搬送波生成器６２２及び送信コイル６２３を含んでなることができる。
【００７０】
搬送波生成器６２２は、スイッチ６２１を介して伝達された増幅器６１３の出力ＤＣ電力に特定の周波数を有するＡＣ成分が挿入されたＡＣ電力を生成して該当送信コイルに伝送する機能をすることができる。このとき、それぞれの送信コイルに伝達されるＡＣ電力の周波数は互いに異なってもよい。
【００７１】
電力伝送部６２０は、増幅器６１３の出力電力が送信コイルに伝達されることを制御するためのスイッチ６２１と第１〜第Ｎ送信コイル６２２とを含んでなることができる。
【００７２】
制御部６４０は、第１次感知信号送出過程の間に第１〜第Ｎ送信コイル６２２を介して同時に感知信号が送出されることができるようにスイッチ６２１を制御することができる。このとき、制御部６４０は、感知信号が伝送される時点を感知信号伝送タイマー（図示せず）によって識別することができ、感知信号伝送時点となれば、スイッチ６２１を制御して該当送信コイルを介して感知信号が送出されるように制御することができる。
【００７３】
また、制御部６４０は、第１次感知信号送出過程の間に復調部６３１からどの送信コイルを介して信号強度指示子が受信されたかを識別するための所定の送信コイル識別子及び該当送信コイルを介して受信された信号強度指示子を受信することができる。ついで、第２次感知信号送出過程で、制御部６４０は、第１次感知信号送出過程の間に信号強度指示子が受信された送信コイル（ら）を介してのみ感知信号が送出されるようにスイッチ６２１を制御することができる。他の一例として、制御部６４０は、第１次感知信号送出過程の間に信号強度指示子が受信された送信コイルが複数の場合、最大値を有する信号強度指示子が受信された送信コイルを第２次感知信号送出過程で感知信号を送出する送信コイルと決定し、決定結果によってスイッチ６２１を制御することができる。
【００７４】
変復調部６３０は、変調部６３１及び復調部６３２を含む。
【００７５】
変調部６３１は、制御部６４０によって生成された制御信号を変調してスイッチ６２１に伝達することができる。ここで、制御信号を変調するための変調方式は、ＦＳＫ（Ｆｒｅｑｕｅｎｃｙ  Ｓｈｉｆｔ  Ｋｅｙｉｎｇ）変調方式、マンチェスターコーディング（Ｍａｎｃｈｅｓｔｅｒ  Ｃｏｄｉｎｇ）変調方式、ＰＳＫ（Ｐｈａｓｅ  Ｓｈｉｆｔ  Ｋｅｙｉｎｇ）変調方式及びパルス幅変調方式などを含むことができる。
【００７６】
復調部６３２は、送信コイルを介して受信される信号が感知されれば、感知された信号を復調して制御部６４０に伝送することができる。ここで、復調された信号には、信号制御指示子、無線電力伝送中の電力制御のためのエラー訂正（ＥＣ：Ｅｒｒｏｒ  Ｃｏｒｒｅｃｔｉｏｎ）指示子、充電完了（ＥＯＣ：Ｅｎｄ  Ｏｆ  Ｃｈａｒｇｅ）指示子、過電圧／過電流／過熱指示子などを含むことができるが、これに限定されず、無線電力受信機の状態を識別するための各種の状態情報を含むことができる。
【００７７】
また、復調部６３１は、復調された信号がどの送信コイルから受信された信号であるかを識別することができ、識別された送信コイルに相応する所定の送信コイル識別子を制御部６４０に提供することもできる。
【００７８】
また、復調部６３１は、送信コイル６２３を介して受信された信号を復調して制御部６４０に伝達することができる。一例として、復調された信号は信号強度指示子を含むことができるが、これに限定されず、復調信号は無線電力受信機の各種の状態情報を含むことができる。
【００７９】
一例として、無線電力送信機６００は、無線電力伝送に使われる同じ周波数を用いて無線電力受信機と通信を行うインバンド（Ｉｎ−Ｂａｎｄ）通信によって前記信号強度指示子を獲得することができる。
【００８０】
また、無線電力送信機６００は、送信コイル６２３を用いて無線電力を送出することができるだけでなく、送信コイル６２３を介して無線電力受信機と各種の情報を交換することができる。他の一例として、無線電力送信機６００はそれぞれの送信コイル６２３に対応する別途のコイルを備え、備えられた別途のコイルを用いて無線電力受信機とインバンド通信をすることもできることに気を付けなければならない。
【００８１】
センシング部６５０は、制御部６４０の制御によって、電力変換部６１０、電力伝送部６２０、変復調部６３０に流れる過電圧をチェックすることができ、無線電力受信機から受信される信号強度指示子をセンシングすることができる。
【００８２】
図５は実施例によるマルチコイル無線電力送信機と連動する無線電力受信機のブロック図である。
【００８３】
図５を参照すれば、無線電力受信機７００は、受信コイル７１０、整流部７２０、ＤＣ／ＤＣコンバーター７３０、負荷７４０、電力センシング部７５０、変調部７６2／復調部７６1含む変復調部７６０及び主制御部７７０を含むことができる。
【００８４】
受信コイル７１０を介して受信されたＡＣ電力は分配スイッチ（図示せず）を介して周波数フィルター（図示せず）に伝達されることができる。このとき、周波数フィルター（図示せず）は複数の相異なる搬送周波数をフィルタリングして整流部７２０に伝達することができる。整流部７２０は、フィルタリングされたＡＣ電力をＤＣ電力に変換してＤＣ／ＤＣコンバーター７３０に伝送することができる。ＤＣ／ＤＣコンバーター７３０は、整流器出力ＤＣ電力の強度を負荷７４０に要求される強度に変換して負荷７４０に伝達することができる。
【００８５】
電力センシング部７５０は、整流部７２０に含まれた出力ＤＣ電力の強度を測定し、これを主制御部７７０に提供することができる。ここで、整流部７２０は複数の整流部を含むことができる。
【００８６】
すなわち、主制御部７７０は、整流器出力ＤＣ電力の強度が所定の基準値以上の場合、感知信号が受信されたと判断することができる。主制御部７７０は、感知信号の受信時、該当感知信号伝送に使われたた搬送周波数を用いて感知信号に対応する信号強度指示子が伝送されるように変調部７６２を制御することができる。
【００８７】
他の一例として、復調部７６１は、整流部７２０の出力を復調して感知信号の受信有無を識別することができ、識別された感知信号がどの搬送周波数で伝送されたかについての情報を主制御部７７０に提供することができる。このとき、主制御部７７０は、識別された感知信号の伝送に使われた搬送周波数と同一の周波数を用いて、信号強度指示子が変調部７６２を介して伝送されるように制御することができる。
【００８８】
図６はＷＰＣ標準で定義した無線電力受信過程を説明するための図である。図２、図４及び図５の図面符号を一緒に参考する。
【００８９】
Ｘ軸は時間（Ｔ）であり、第１Ｙ軸は無線電力受信機７００の１次セル（Ｐｒｉｍａｒｙ  Ｃｅｌｌ）の電流振幅（Ｃｕｒｒｅｎｔ  Ａｍｐｌｉｔｕｄｅ）となる。ここで、１次セル（Ｐｒｉｍａｒｙ  Ｃｅｌｌ）は単一送信コイル又はマルチコイルが活性領域（Ａｃｔｉｖｅ  Ａｒｅａ）を介して十分な磁束（ｍａｇｎｅｔｉｃ  ｆｌｕｘ）を提供するセル（Ｃｅｌｌ）を意味する。第２Ｙ軸は受信機７００が感知する整流電圧（Ｒｅｃｔｉｆｉｅｄ  Ｖｏｌｔａｇｅ（Ｖｒ））に相当する。無線電力送信機６００及び無線電力受信機７００は選択段階（Ｓｅｌｅｃｔｉｏｎ  Ｐｈａｓｅ）２１０、ピング段階（Ｐｉｎｇ  Ｐｈａｓｅ）２２０及び識別段階（Ｉｄｅｎｔｉｆｉｃａｔｉｏｎ）２３０に遷移することができる。
【００９０】
上述したように、無線電力送信機６００がパワー信号を伝送すれば、選択段階２１０に進入することができる。選択段階２１０で、無線電力受信機７００は、整流電圧（Ｖｒ）が充分に高い場合（所定のＶｒ）、ピング段階２２０に遷移することができる。所定のＶｒは器機の構成によって違って設定されることができる。
【００９１】
ピング段階２２０で、無線電力受信機７００は無線電力送信機６００から感知信号を受信することができる。無線電力受信機７００は、信号強度指示子（Ｓｉｇｎａｌ  Ｓｔｒｅｎｇｔｈ）を無線電力送信機６００にフィードバックすることができる。このとき、受信機７００は信号強度指示子の待機時間（Ｔｗａｋｅ）を設定することができる。待機時間（Ｔｗａｋｅ）は１９〜６４ｍｓ程度に設定することができるが、機器によって違って構成されることができる。また、待機時間（Ｔｗａｋｅ）が６４ｍｓを超える場合、識別段階２３０に遷移しなくて無線充電が失敗することがある。
【００９２】
また、１次セル（Ｐｒｉｍａｒｙ  Ｃｅｌｌ）の安定レベル（Ｓｔａｂｌｅ  Ｌｅｖｅｌ）は器機構成によって違って設定されることができる。
【００９３】
ピング段階２２０で、信号強度指示子（Ｓｉｇｎａｌ  Ｓｔｒｅｎｇｔｈ）が伝送され、無線電力送信機６００がパワー信号を除去（ｒｅｍｏｖｅ）した後、リセットタイム（Ｒｅｓｅｔ  Ｔｉｍｅ）内に識別段階２３０に遷移することができる。
【００９４】
リセットタイム（Ｒｅｓｅｔ  Ｔｉｍｅ（Ｔｒ））はシステムが識別段階に進入するのにかかる時間が受信機の初期化のための時間に設定されることができ、コイル別にリセットタイムが設定されることもできる。Ｔｒは２５ｍｓとなることができるが、機器によって違って構成されることができ、リセットタイム（Ｒｅｓｅｔ  Ｔｉｍｅ（Ｔｒ））が２８ｍｓを超える場合、識別段階２３０に遷移しなくて無線充電が失敗することがある。
【００９５】
また、リセットタイム（Ｔｒ）が完了する前に１次セル（Ｐｒｉｍａｒｙ  Ｃｅｌｌ）の安定レベル（Ｓｔａｂｌｅ  Ｌｅｖｅｌ）が５０％以下に下降する場合、識別段階２３０に遷移しなくて無線充電が失敗することがある。
【００９６】
ここで、無線電力受信機７００は、無線電力送信機６００が複数のコイルを備えた場合（それぞれのコイルが感知信号を伝送した場合）、複数のコイル別に信号強度指示子を伝送することができ、複数のコイルのうち感知信号を弱く伝送したコイルは信号強度指示子を受信することができないこともある。
【００９７】
また、無線電力受信機７００はコイル別にリセットタイムを有するとか、信号強度指示子を全て伝送してからリセットタイムを有することができる。
【００９８】
図７は従来技術のピング段階から識別段階への状態遷移が発生しない場合を示す図である。
【００９９】
図７によれば、無線電力送信機６００は第１〜第３のコイルを含むものであると想定する。
【０１００】
無線電力送信機６００は、第１コイルから第３コイルまで順次感知信号を無線電力受信機７００に伝送する。
【０１０１】
無線電力受信機７００は、第３コイルが最適の感知信号（例えば、所定の基準を超えながら信号強度が大きな感知信号）を伝送したと判断し、第３コイルに信号強度（Ｓｉｇｎａｌ  Ｓｔｒｅｎｇｔｈ）パケットを伝送する。無線伝送受信機７００は信号強度（Ｓｉｇｎａｌ  Ｓｔｒｅｎｇｔｈ、ＳＳ）パケットを伝送し、第１リセットタイムを許容する。
【０１０２】
ここで、受信機７００は感知信号の強度が弱いコイルに対してはＳＳパケットを伝送しないこともあるが、これは具現例によって違う。
【０１０３】
無線電力送信機６００は、第１リセットタイム後、再び第１コイルから第３コイルまで感知信号を伝送する。反復的に感知信号を伝送する理由は、より正確に無線充電のための認識をするためである。無線電力受信機７００は、再び第３コイルが最適の感知信号を伝送したと判断し、第３コイルに信号強度（Ｓｉｇｎａｌ  Ｓｔｒｅｎｇｔｈ）パケットを伝送する。無線伝送受信機７００は信号強度（ＳＳ）パケットを伝送し、第２リセットタイムを許容する。
【０１０４】
ここで、無線電力送信機６００及び無線電力受信機７００は、信号強度（ＳＳ）パケットを伝送し、第２リセットタイムを有するとき、特定の時間を超えれば識別段階に進入することができない。すると、パワー伝送段階に進入することができなくて無線充電が失敗することになる。
【０１０５】
これは、無線受信機７００の性能及び構成が標準スペックを守らないとか部品の劣化によって発生することがある。受信機７００は信号強度（ＳＳ）信号伝送のための待機時間（Ｔｗａｋｅ）が長く設定されるとか、リセット（Ｒｅｓｅｔ）タイムが長く設定されるとか、リセット（Ｒｅｓｅｔ）タイムのうち１次セル（Ｐｒｉｍａｒｙ  Ｃｅｌｌ）の電流値が所定の大きさ未満に下降する場合、無線受信機７００のアラインメントが誤った場合などに前記問題が発生することがある。
【０１０６】
以下では、前記問題をより効率的に解決する多様な実施例を説明する。
【０１０７】
図８及び図９は実施例によるマルチコイルの感知信号伝送の送出手順を変更して無線電力伝送システムが識別段階に進入することを示す図である。
【０１０８】
図８によれば、無線電力送信機６００はマルチコイルが感知信号を２回（１Ｃｙｃｌｅ、２Ｃｙｃｌｅ）伝送すると想定する。
【０１０９】
１Ｃｙｃｌｅで、無線電力送信機６００は、コイル１及びコイル２からは信号強度（ＳＳ）信号を受信機７００から受信することができない。無線電力送信機６００は信号強度（ＳＳ）信号を受信したコイル３を選択する。
【０１１０】
その後、２Ｃｙｃｌｅで、無線電力送信機６００は感知信号をコイル３から受信機７００に伝送する。すると、無線電力伝送システムは識別段階に進入することができる。
【０１１１】
これは、無線電力送信機６００は、コイル３を介して感知信号を伝送すれば、受信機７００の性質によって待機時間、リセットタイム（Ｔｗａｋｅ、Ｔｒｅｓｅｔ）を多く有すると言ってもコイル２及びコイル１が感知信号を伝送するうちに余裕時間が生じるので、システムは識別段階に進入することができる。
【０１１２】
もしくは、無線電力送信機６００は、コイル３の感知信号によってシステムが１次セル（Ｐｒｉｍａｒｙ  Ｃｅｌｌ）の５０％で電流値が維持されるように制御し、時間が経つにつれて受信機７００の電流値が所定値だけ（Ｐｒｉｍａｒｙ  Ｃｅｌｌの５０％以下）落ちることがある。このとき、無線電力送信機６００はコイル３を介して感知信号を受信機７００に再伝送して、リセット（Ｒｅｓｅｔ）タイムの期間に電流値が１次セル（Ｐｒｉｍａｒｙ  Ｃｅｌｌ）の５０％を超えるように制御することができる。
【０１１３】
一方、無線電力受信機７００は伝送効率に優れたコイル情報をＳＳ信号ではないインバンドチャネルを介して無線電力送信機６００に伝送することができる。すると、無線電力送信機６００はこれに基づいて１次セル（Ｐｒｉｍａｒｙ  Ｃｅｌｌ）をなすコイルを介して感知信号を伝送することができる。
【０１１４】
このように、ピング段階から識別段階への十分な信号強度（Ｓｉｇｎａｌ  Ｓｔｒｅｎｇｔｈ）伝送及びリセットタイムが確保される場合、識別段階に問題なしに遷移することができる。
【０１１５】
図９においても、無線電力送信機６００は１Ｃｙｃｌｅでコイル３、コイル２、コイル１の順に感知信号を伝送し、信号強度（ＳＳ）の大きさに基づいて２Ｃｙｃｌｅでコイル３、コイル２、コイル１の順に再び感知信号を伝送し、図８のようにシステムが識別段階に進入することができるように制御することができる。
【０１１６】
受信機７００は、信号強度（ＳＳ）信号以外にもインバンド通信（又は近距離通信）を介して受信機７００の状態を無線電力送信機６００に提供することができる。
【０１１７】
図８及び図９のように、ピング段階から識別段階への十分な信号強度（Ｓｉｇｎａｌ  Ｓｔｒｅｎｇｔｈ）の伝送及びリセットタイムが確保される場合、識別段階に遷移することができる。
【０１１８】
図１０は感知信号を伝送する無線電力送信機の動作によって無線電力受信機の電流値変化を示すグラフである。図８及び図９の場合を想定する。Ｘ軸、第１Ｙ軸及び第２Ｙ軸は図６と同一であるので、その説明は省略する。
【０１１９】
無線電力受信機７００は第１ｃｙｃｌｅで第３コイルに信号強度（ＳＳ）信号を伝送し、リセットタイムを有する。第１ｃｙｃｌｅで電流振幅（Ｃｕｒｒｅｎｔ  Ａｍｐｌｉｔｕｄｅ）が安定レベル（Ｓｔａｂｌｅ  Ｌｅｖｅｌ）５０％以下となって第１リセットタイムを全く満たすことができなくなる。
【０１２０】
このとき、無線電力送信機６００が信号強度（ＳＳ）信号を受信した第３コイルを制御して、第２ｃｙｃｌｅで感知信号を無線電力受信機７００に伝送すれば、無線電力受信機７００の電流値が上昇することになる。
【０１２１】
すると、受信機７００はＳＳをコイル３に再伝送し、リセットタイム区間でも電流値が既設定の値（Ｐｒｉｍａｒｙ  ＣｅｌｌのＳｔａｂｌｅ  Ｌｅｖｅｌの５０％）を維持してシステムは識別段階に進入することになる。
【０１２２】
仮に、無線電力送信機６００が、ｃｙｃｌｅが変更されるとき、コイル伝送手順を変えなければ、リセットタイムの間に電流振幅が安定レベル（Ｓｔａｂｌｅ  Ｌｅｖｅｌ）の５０％以下となって識別段階に遷移することができないことがある。
【０１２３】
また、無線電力受信機７００が信号強度（ＳＳ）信号を伝送するための待機時間（Ｔｗａｋｅ）を過度に割り当てる場合、信号強度（ＳＳ）信号が伝送されることができずに（ＳＳはＳｔａｂｌｅ  Ｌｅｖｅｌの５０％以下で伝送できない）識別段階に進入することができないこともある。その他、受信機７００のコイルアラインメントがよくない場合にも識別段階に遷移することができないことがある。
【０１２４】
図１１は実施例によるコイル別に感知信号の伝送手順を変更する無線電力伝送システムの駆動方法を示すフローチャートである。
【０１２５】
まず、システムはピング段階が終了することを感知する（Ｓ１１１０）。
【０１２６】
システムは、受信機７００が信号強度（ＳＳ）信号を伝送し、リセットタイムとなった場合、ピング段階の終了を感知することができる。また、システムは職別（Ｉｄｅｎｔｉｆｉｃａｔｉｏｎ）パケットが伝送される場合にもピング段階が終了したと判断することができる。
【０１２７】
すると、システムは、識別段階に進入したかを判断し（Ｓ１１２０）、識別段階に進入したとともに無線充電中であれば（Ｓ１１３０）、無線充電のための駆動を行うことができる。
【０１２８】
仮に、システムは、識別段階に進入しなかったならば、ピング段階が終了することを再びモニターする。
【０１２９】
また、システムは、識別段階であるが充電中ではなければ、コイル別に感知信号の伝送パターンを変更し（Ｓ１１４０）、再びピング段階に進入することができる。
【０１３０】
図１２は実施例による信号強度指示子を複数のコイルを介して受信する場合、無線電力システムの駆動方法を説明するための図である。
【０１３１】
図１２によれば、無線電力送信機６００のコイル２及びコイル３が１Ｃｙｃｌｅで受信機７００から信号強度（ＳＳ）信号を受信する。
【０１３２】
無線電力送信機６００は、コイル２及びコイル３に受信された信号強度（ＳＳ）信号の強度を判断し、２Ｃｙｃｌｅでコイル２、コイル３の送出手順を変更することができる。この場合、前述したようなシステムは識別段階に進入することになる。
【０１３３】
また、無線電力送信機６００は、複数のコイル（コイル２及びコイル３）を介して同時に感知信号を伝送し、同時に受信機７００のコイルを介して無線電力を伝送することができる。
【０１３４】
特に、受信機７００は、信号強度（ＳＳ）信号を無線電力送信機６００に伝送しながら電流値情報を一緒に無線電力送信機６００に伝送することができる。すると、無線電力送信機６００は、これに基づいて感知信号を伝送することができる。また、受信機７００は、リセットタイムの中間に電流値が所定の大きさだけ下降する場合、該当情報を無線電力送信機６００に伝送することができる。このようにすれば、無線電力送信機６００がこれに備えて感知信号を伝送することができる。
【０１３５】
上述した実施例による方法はコンピュータで実行可能なプログラムに製作されてコンピュータ可読の記録媒体に記録されることができる。コンピュータ可読の記録媒体の例としては、ＲＯＭ、ＲＡＭ、ＣＤ−ＲＯＭ、磁気テープ、フロッピーディスク、光データ記憶装置などがあり、またキャリアウェーブ（例えば、インターネットを介した伝送）の形態に具現されるものも含む。
【０１３６】
コンピュータ可読の記録媒体はネットワークで連結されたコンピュータシステムに分散され、分散方式でコンピュータが読めるコードが記録されて実行されることができる。そして、上述した方法を具現するための機能的な（ｆｕｎｃｔｉｏｎ）プログラム、コード及びコードセグメントは実施例が属する技術分野のプログラマーによって容易に推論可能である。
【０１３７】
本発明は本発明の精神及び必須の特徴を逸脱しない範疇内で他の特定の形態に具体化することができるのは当業者に自明である。
【０１３８】
したがって、前記の詳細な説明は全ての面で制限的に解釈されてはいけなく、例示的なものとして考慮されなければならない。本発明の範囲は添付の請求項の合理的解釈によって決定されなければならなく、本発明の等価的範囲内での全ての変更は本発明の範囲に含まれる。
【産業上の利用可能性】
【０１３９】
本発明は複数の送信コイルを備えた無線電力送信装置に適用可能である。
【図１】
2019510454.tif 000003
【図２】
2019510454.tif 000004
【図３】
2019510454.tif 000005
【図４】
2019510454.tif 000006
【図５】
2019510454.tif 000007
【図６】
2019510454.tif 000008
【図７】
2019510454.tif 000009
【図８】
2019510454.tif 000010
【図９】
2019510454.tif 000011
【図１０】
2019510454.tif 000012
【図１１】
2019510454.tif 000013
【図１２】
2019510454.tif 000014
【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
交流電力信号を無線で伝送する第１〜第Ｎコイル、及び
第１感知信号を前記第１〜第Ｎコイルを介して無線電力受信機に伝送し、前記第１感知信号に対応するシグナル強度指示子が含まれた応答信号が受信されれば、前記応答信号の強度に基づき、前記第１〜第Ｎコイルを介して伝送される第２感知信号の伝送手順を調整する制御部、
を含む、無線電力送信機。
【請求項２】
前記制御部は、
前記応答信号の伝送をトリガーするウェイク（Ｗａｋｅ）タイムが所定の時間より長く設定される場合、前記第２感知信号の伝送手順を調整する、請求項１に記載の無線電力送信機。
【請求項３】
前記制御部は、
前記無線電力受信機がリセットされるリセット（ｒｅｓｅｔ）タイムが所定の時間より長く設定される場合、前記第２感知信号の伝送手順を調整する、請求項１に記載の無線電力送信機。
【請求項４】
前記制御部は、
前記無線電力受信機がリセットされるリセット（ｒｅｓｅｔ）タイムの間に前記無線電力受信機の電流値が所定の基準値以下に落ちないように、前記第２感知信号の伝送手順を調整する、請求項１に記載の無線電力送信機。
【請求項５】
前記制御部は、
前記応答信号が受信された少なくとも一つのコイルを介して前記第２感知信号を伝送するように制御する、請求項１〜４のいずれか一項に記載の無線電力送信機。
【請求項６】
前記制御部は、
前記第１〜第Ｎコイルを介して複数の前記応答信号が受信された場合、大きな強度の前記応答信号が受信されたコイルの順に前記第２感知信号を伝送するように制御する、請求項１〜５のいずれか一項に記載の無線電力送信機。
【請求項７】
前記制御部は、
前記第１〜第Ｎコイルを介して所定の周期で前記第１感知信号を同時に伝送するように制御する、請求項１〜６のいずれか一項に記載の無線電力送信機。
【請求項８】
前記制御部は、
前記第１〜第Ｎコイルに対して所定の手順で前記第１感知信号を伝送するように制御する、請求項１〜６のいずれか一項に記載の無線電力送信機。
【請求項９】
前記第１感知信号及び前記第２感知信号はＷＰＣ標準又はＰＭＡ標準で定義したデジタルピング信号である、請求項１〜８のいずれか一項に記載の無線電力送信機。
【請求項１０】
前記第１感知信号と前記第２感知信号は、出力電圧強度、伝送周期及び伝送時間の少なくとも一つが互いに異なる、請求項１〜９のいずれか一項に記載の無線電力送信機。
【請求項１１】
第１感知信号を備えられた第１〜第Ｎコイルを介して無線電力受信機に伝送する段階、
前記第１感知信号に対応する第１シグナル強度指示子が含まれた応答信号を受信する段階、
前記受信された応答信号の強度に基づいて前記第１〜第Ｎコイルを介した第２感知信号の伝送手順を調整する段階、及び
前記調整された伝送手順で該当コイルを介して前記第２感知信号を伝送する段階、
を含む、無線電力送信機の駆動方法。
【請求項１２】
前記応答信号の伝送をトリガーするウェイク（Ｗａｋｅ）タイムが所定の時間より長く設定される場合、前記第２感知信号の伝送手順を調整する、請求項１１に記載の無線電力送信機の駆動方法。
【請求項１３】
前記無線電力受信機がリセットされるリセット（ｒｅｓｅｔ）タイムが所定の時間より長く設定される場合、前記第２感知信号の伝送手順を調整する、請求項１１に記載の無線電力送信機の駆動方法。
【請求項１４】
前記無線電力受信機がリセットされるリセット（ｒｅｓｅｔ）タイムの間に前記無線電力受信機の電流値が所定の基準値以下に落ちないように、前記第２感知信号の伝送手順を調整する、請求項１１に記載の無線電力送信機の駆動方法。
【請求項１５】
前記応答信号が受信された少なくとも一つのコイルを介して前記第２感知信号を伝送する、請求項１１〜１４のいずれか一項に記載の無線電力送信機の駆動方法。
【請求項１６】
前記第１〜第Ｎコイルを介して複数の前記応答信号が受信された場合、大きな強度の前記応答信号が受信されたコイルの順に前記第２感知信号を伝送するように制御する、請求項１１〜１５のいずれか一項に記載の無線電力送信機の駆動方法。
【請求項１７】
前記第１〜第Ｎコイルを介して所定の周期で前記第１感知信号を同時に伝送する、請求項１１〜１６のいずれか一項に記載の無線電力送信機の駆動方法。
【請求項１８】
前記第１〜第Ｎコイルに対して所定の手順で前記第１感知信号を伝送する、請求項１１〜１６のいずれか一項に記載の無線電力送信機の駆動方法。
【請求項１９】
前記第１感知信号及び前記第２感知信号はＷＰＣ標準又はＰＭＡ標準で定義したデジタルピング信号である、請求項１１〜１８のいずれか一項に記載の無線電力送信機の駆動方法。
【請求項２０】
前記第１感知信号と前記第２感知信号は、出力電圧強度、伝送周期及び伝送時間の少なくとも一つが互いに異なる、請求項１１〜１９のいずれか一項に記載の無線電力送信機の駆動方法。
【国際調査報告】
2019510454.tif 000015
2019510454.tif 000016
2019510454.tif 000017
2019510454.tif 000018